(57)【特許請求の範囲】
【請求項１】
少なくとも２階層分＋手摺分の高さを有する外部養生ユニットを、階高に合わせた長さ
に作製され、且つ、側面にワイヤー取付け部が設けられた継足し連結可能な複数組のガイ
ドレールに沿って上階へ１層分ずつクライミングさせる一方、外部養生ユニットのクライ
ミングによって当該外部養生ユニットの下階に残置されたガイドレールのワイヤー取付け
部間にワイヤーを横方向に張り渡して仮設手摺とし、この階の本設手摺を構築した後、前
記ワイヤーを撤去して前記ガイドレールを最上層へと盛り替えて行くことを特徴とする外
部養生ユニットのクライミング工法。
【請求項２】
請求項１に記載された外部養生ユニットのクライミング工法に使用されるガイドレール
であって、階高に合わせた長さの単管の側面にワイヤー取付け部を単管の軸芯方向所定間
隔おきに複数個突設し、前記単管の上端部側面に筒体を平行に固着し、前記単管の下端部
近傍に軸芯と直角なピンを挿設して成るガイドレール。
【請求項３】
請求項１に記載された外部養生ユニットのクライミング工法に使用されるクライミング
ガイドであって、ガイドレールに対して上下方向摺動自在に嵌合し且つガイドレールの外
径よりも狭い開口を有するガイド溝が形成された本体と、本体におけるガイド溝の開口の
一側縁部に枢着されたガイド溝の開口を開閉することが可能な蓋体と、本体のガイド溝と
は反対側の面に連設された単管クランプとから構成されて成るクライミングガイド。
【請求項４】
請求項１に記載された外部養生ユニットのクライミング工法に使用されるガイドレール
取付け金物であって、角筒状部材の後面板部に横長の長孔を形成し、角筒状部材の前板部
にアームを突設し、アームの先端に、ガイドレールと同一径の大径軸部とその上下に連設
されたガイドレールに嵌入する外径の小径軸部とから成り、上側の小径軸部の上端にピン
落とし込み用の切欠きを形成して成る縦軸を設け、アームの中間部に横孔を形成して成る
ガイドレール取付け金物。
【請求項５】
請求項１に記載された外部養生ユニットのクライミング工法に使用されるガイドレール
連結部の抜け止め金物であって、外面に横孔付きの連結用板部が固着されたスリーブと、
スリーブに挿通されたねじ軸と、スリーブの上下においてねじ軸と螺合する上下一対のナ
ットと、ねじ軸の下端にねじ軸と平行に支持された上向きのピンとから成るレール吊り金
具と、上端に下向きのフックが連設された垂直板部とその下端から直角に折曲連設された
縦孔付きの水平板部とから成り当該縦孔に前記ねじ軸を挿通して、前記スリーブと上方の
ナットとで水平板部を締付け固定可能に構成したレール上がり止め金具とを備えて成るガ
イドレール連結部の抜け止め金物。
【発明の詳細な説明】
【技術分野】
【０００１】
本発明は、外部養生ユニットのクライミング工法に関するものである。
【背景技術】
【０００２】
外部足場を用いずに高層集合住宅等の建物を建築する場合、施工途上において、その時点での最上階より数階分は、外壁や手摺が（バルコニーや外部廊下となる片持ちスラブに手摺が）未だ取り付けられていないので、外部飛散や落下事故を防止するために、特許文献１によって提案されているように、例えば、単管、ブレース、それらを緊結するクランプ、養生ネット等で構成される外部養生ユニットを建物の外周に取り付け、躯体の施工が進み、作業箇所が上階に移動するにつれて外部養生ユニットを順次上階へとせり上げて移設する外部養生ユニットのクライミング工法が採用される。
【０００３】
ところで、従来では、特許文献２にも記載されているように、外部養生ユニットが少なくとも３階層分の高さに作製されていた。これは、一般的な平面積の建物では、下階から上階へと順次、コンクリートを打設して躯体を構築して行く場合、３層目の床が構築されるまでに略一ヶ月かかり、この時点で、１層目のコンクリートに所定の強度（材齢２８週の強度）が発現して、型枠の解体、手摺の設置が可能になるという工程上の制約があるからである。
【０００４】
従って、外部養生ユニットの高さが高い分、外部養生ユニットの重量が大きくなるばかりでなく、それに伴って外部養生ユニットを順次上階へとせり上げるための揚重機器、外部養生ユニットをせり上げる際のガイドレール、ガイドレールを建物に固定する金物等々、多くの構成部材の重量が増し、それらの設置、転用の施工性やコストに悪影響を及ぼしていた。
【０００５】
【特許文献１】特開２００４−２５７１６５号公報
【特許文献２】特開平９−１４４３２６号公報
【発明の開示】
【発明が解決しようとする課題】
【０００６】
本発明は、上記の問題点を踏まえてなされたもので、その目的とするところは、外部養生ユニットを少なくとも略２階層分の高さに作製しながらも安全を確保できるようにしてコストの削減を可能にした外部養生ユニットのクライミング工法を実現することにある。
【課題を解決するための手段】
【０００７】
上記の目的を達成するために、本発明が講じた技術的手段は、次のとおりである。即ち、請求項１に記載の発明による外部養生ユニットのクライミング工法は、少なくとも２階層分＋手摺分の高さを有する外部養生ユニットを、階高に合わせた長さに作製され、且つ、側面にワイヤー取付け部が設けられた継足し連結可能な複数組のガイドレールに沿って上階へ１層分ずつクライミングさせる一方、外部養生ユニットのクライミングによって当該外部養生ユニットの下階に残置されたガイドレールのワイヤー取付け部間にワイヤーを横方向に張り渡して仮設手摺とし、この階の本設手摺を構築した後、前記ワイヤーを撤去して前記ガイドレールを最上層へと盛り替えて行くことを特徴としている。
【０００８】
請求項２に記載の発明では、上記の外部養生ユニットのクライミング工法に用いるガイドレールとして、階高に合わせた長さの単管の側面にワイヤー取付け部を単管の軸芯方向所定間隔おきに複数個突設し、前記単管の上端部側面に筒体を平行に固着し、前記単管の
下端部近傍に軸芯と直角なピンを挿設して成るガイドレールが提供される。
【０００９】
請求項３に記載の発明では、上記の外部養生ユニットのクライミング工法に用いるクライミングガイドとして、ガイドレールに対して上下方向摺動自在に嵌合し且つガイドレールの外径よりも狭い開口を有するガイド溝が形成された本体と、本体に枢着されたガイド溝の開口を開閉することが可能な蓋体と、本体のガイド溝とは反対側の面に連設された単管クランプとから構成されて成るクライミングガイドが提供される。
【００１０】
請求項４に記載の発明では、上記の外部養生ユニットのクライミング工法に用いるガイドレール取付け金物として、角筒状部材の後面板部に横長の長孔を形成し、角筒状部材の前板部にアームを突設し、アームの先端に、ガイドレールに嵌入する外径の小径軸部とその中間部に形成された大径軸部とを備え、小径軸部の上端にピン落とし込み用の切欠きを形成して成る縦軸を設け、アームの中間部に横孔を形成して成るガイドレール取付け金物が提供される。
【００１１】
請求項５に記載の発明では、上記の外部養生ユニットのクライミング工法に用いるガイドレール連結部の抜け止め金物として、外面に横孔付きの連結用板部が固着されたスリーブと、スリーブに挿通されたねじ軸と、スリーブの上下においてねじ軸と螺合する上下一対のナットと、ねじ軸の下端にねじ軸と平行に支持された上向きのピンとから成るレール吊り金具と、上端に下向きのフックが連設された垂直板部とその下端から直角に折曲連設された縦孔付きの水平板部とから成り当該縦孔に前記ねじ軸を挿通して、前記スリーブと上方のナットとで水平板部を締付け固定可能に構成したレール上がり止め金具とを備えて成るガイドレール連結部の抜け止め金物が提供される。
【発明の効果】
【００１２】
請求項１に記載の発明によれば、外部養生ユニットをクライミングさせる際のガイドレールにワイヤー取付け部を設けておき、少なくとも略２階層分の高さ、つまり、少なくとも２階層分＋手摺分の高さを有する外部養生ユニットを、ガイドレールに沿って上階へ１層分ずつクライミングさせる一方、外部養生ユニットのクライミングによって当該外部養生ユニットの下階に残置されたガイドレールのワイヤー取付け部間にワイヤーを横方向に張り渡して仮設手摺とし、この階の本設手摺を構築した後、前記ワイヤーを撤去して前記ガイドレールを最上層へと盛り替えて行くので、外部養生ユニットを略２階層分の高さに作製しながらも外部養生ユニットの高さが不足することによる手摺無しの状態が回避され、安全を確保できるのである。
【００１３】
従って、外部養生ユニットの高さが低い分、外部養生ユニットの重量が小さくなり、それに伴って外部養生ユニットを順次上階へとせり上げるための揚重機器、外部養生ユニットをせり上げる際のガイドレール、ガイドレールを建物に固定する金物等々、多くの構成部材の軽量化が可能となり、それらの設置、転用の施工性が向上し、コストを低減し得るのである。
【００１４】
請求項２に記載の発明によれば、単管の側面に突設されたワイヤー取付け部にワイヤーを張り渡すことによって、仮設手摺を構成することができる。また、単管の下端部近傍に設けられたピンを利用して、回り止めされた状態にガイドレールを継足し連結することができ、単管の上端部側面に固着した筒体を利用して、継足し連結されたガイドレールの連結部の不測な抜け出しを防止することが可能となる。
【００１５】
請求項３に記載の発明によれば、ガイドレールの側面にワイヤー取付け部が突設されているにもかかわらず、ガイドレールに対するクライミングガイドの上下方向の摺動を支障なく行うことができる。即ち、クライミングガイドを単管クランプによって外部養生ユニ
ットに取り付け、クライミングガイドのガイド溝にガイドレールを挿入した状態で、外部養生ユニットをガイドレールに沿ってクライミングさせる際、クライミングガイドの本体に枢着された蓋体を揺動してガイド溝の開口を開放しておくことにより、クライミングガイドは、ガイドレールが単管の側面にワイヤー取付け部を突設した構造であるにもかかわらず、ガイド溝の開口によってワイヤー取付け部を通過することができ、ガイドレールに対するクライミングガイドの上下方向の摺動を支障なく行うことができる。
【００１６】
請求項４に記載の発明によれば、ガイドレール取付け金物の角筒状部材を外壁面（例えば、片持ちスラブの鼻先部の先端面）に、当該外壁面に埋設されたインサート金物と螺合するボルトで取り付け、角筒状部材に突設されたアーム先端の縦軸の小径軸部にガイドレールを嵌合して、ガイドレールを上下に継足し連結することができる。
【００１７】
この場合、角筒状部材の後面板部に横長の長孔を形成してあるので、インサート金物の埋設位置に多少の誤差があっても、長孔の範囲内でガイドレール取付け金物の取付け位置を修正することができる。また、アームの中間部に横孔を形成してあるので、後述するガイドレール連結部の抜け止め金物をアームの中間部にボルト・ナットで取り付けることができ、上下に継足し連結されたガイドレールの抜け止めを行うことができる。
【００１８】
請求項５に記載の発明によれば、スリーブ外面の連結用板部の横孔と、ガイドレール取付け金物におけるアーム中間部の横孔とに挿通したボルトとそれに螺合するナットとによって、ガイドレール連結部の抜け止め金物をガイドレール取付け金物のアームの中間部に取り付けることができる。
【００１９】
そして、レール吊り金具のスリーブに挿通支持されたねじ軸の下端に設けられた上向きのピンを、下階側ガイドレールの上端側面に固着された筒体に挿入係止させることによって、下階側ガイドレールの下方への抜け出しを防止できる。即ち、ガイドレールを上方へ転用するに当たって、当該ガイドレールの下端側を支持していたガイドレール取付け金物を外壁面から取り外した際、当該ガイドレールの上端側が筒体を介してレール吊り金具で吊下げ支持され、ガイドレールの落下が防止されることになる。
【００２０】
また、スリーブと上方のナットとで締付け固定されたレール上がり止め金具における垂直板部上端の下向きのフックを上階側ガイドレールのワイヤー取付け部に係止させることによって、上階側ガイドレールの上方への抜け出しが防止される。即ち、外部養生ユニットをクライミングさせる際、外部養生ユニットに固定されたクライミングガイドとガイドレールとの間での拗れや摩擦力によって、ガイドレールが外部養生ユニットと一緒に上がってしまうことを防止できる。
【発明を実施するための最良の形態】
【００２１】
以下、本発明に係る外部養生ユニットのクライミング工法の実施形態を図面に基づいて説明する。先ず、本発明のクライミング工法に用いる外部養生ユニットについて説明すると、この外部養生ユニットＡは、図１に示すように、縦横格子状に配置された単管１ａ，１ｂ、補強用ブレース２、それらを緊結するクランプ（図示せず）で組み立てられたユニット枠と、その外面に張り渡した養生ネット３等で構成されたもので、略２階層分の高さ（２階層分＋手摺分の高さ）を有する。図示の外部養生ユニットＡは、個別に組み立てられた下ユニットＡ１と上ユニットＡ２とを縦地単管１ａの位置で互いに連結して構成されている。下ユニットＡ１は１階層分＋手摺分の高さに作製され、上ユニットＡ２は１階層分の高さに作製されている。
【００２２】
図２、図３は、下ユニットＡ１と上ユニットＡ２の連結金具Ｂを示す。この連結金具Ｂは、下ユニットＡ１と上ユニットＡ２の縦地単管１ａ，１ａに差し込まれるジョイント金
物４と、ジョイントされた縦地単管１ａ，１ａに対してジョイント金物４を回り止めするカプラー５とから構成されている。
【００２３】
前記ジョイント金物４は、上下両端にＬ字状の切欠き６が形成された筒軸７の中央に縦地単管１ａ，１ａと同径の筒体８を嵌合固着し、当該筒体８に筒軸７まで貫通する貫通孔９を形成したものであり、ジョイント金物４を下ユニットＡ１と上ユニットＡ２の縦地単管１ａ，１ａに差し込んで、軸芯周りに回転させることにより、縦地単管１ａ，１ａの端部に設けられたピン１０が切欠き６の屈曲部に係合して抜け止めされたロック状態となるように構成されている。
【００２４】
前記カプラー５は、上下両端に単管クランプ１１が取り付けられた縦板１２の中央部に前記貫通孔９に挿入可能な突起部１３を形成したものであり、図３に示すように、ロック状態にあるジョイント金物４の貫通孔９に突起部１３を挿入し、上下の単管クランプ１１で上下の縦地単管１ａ，１ａを緊結することによって、縦地単管１ａ，１ａに対してジョイント金物４を回り止めするように構成されている。
【００２５】
図１に示すＣは、外部養生ユニットＡの横地単管１ｂに装着されたクライミングガイドであり、図４に示すガイドレールＤに対して上下方向摺動自在に嵌合するように構成されている。外部養生ユニットＡとしては、横幅が例えば５．０ｍ、４．５ｍ、４．０ｍ、３．５ｍ、３．０ｍ、２．０ｍといったように、横幅の異なる複数種類の外部養生ユニットＡが作製され、建物の外周長さの割付けに応じ適宜選択して使用される。
【００２６】
隣り合う外部養生ユニットＡ，Ａ同士は、手摺高さに位置する横地単管１ｂ，１ｂを、図５、図６に示すような単管１４ａとその両端に固着された単管クランプ１４ｂとからなる一定長さの水平つなぎ材Ｅで連結することによって、一体化される。隣り合う外部養生ユニットＡ，Ａ間の隙間には、養生ネット３が張り渡される。
【００２７】
一定長さの水平つなぎ材Ｅでは、連結できない部分（例えば、出隅部と入隅部との間の直角部分）については、図７、図８に示すように、長さ調節可能な内外二重軸１５ａ，１５ｂの両端に単管クランプ１５ｃを固着してなる伸縮式の水平つなぎ材Ｅが使用される。外部養生ユニットＡのクライミングの際には、これらの水平つなぎ材Ｅによる連結を解くように構成されている。
【００２８】
前記ガイドレールＤは、図４に示すように、階高に合わせた長さ（例えば、２７００ｍｍ）の単管１６の側面に、ワイヤー取付け部１７を単管１６の軸芯方向所定間隔（例えば、４７５ｍｍ）おきに複数個突設し、前記単管１６の上端部側面に、単管１６より小径の短い筒体１８を平行に固着し、前記単管１６の下端部近傍に軸芯と直角なピン１９を挿設して構成したものである。
【００２９】
ワイヤー取付け部１７は、図９、図２０の（Ｂ）、図２４に示すように、隣り合うガイドレールＤのワイヤー取付け部１７間にワイヤー２０を横方向に張り渡して仮設手摺Ｆを構成するために使用されるものである。この実施形態では、ワイヤー取付け部１７が横孔付き部材によって構成されており、横孔付き部材は、コ字状に折曲加工された丸鋼２１ａとそれらの間に架設された補強縦杆２１ｂとで構成され、補強縦杆２１ｂと丸鋼２１ａ先端部との隙間がワイヤーを張り渡すための横孔ａに形成されている。
【００３０】
横孔ａにワイヤーを張り渡すにあたっては、横孔ａに直接ワイヤーを挿通してもよいが、この実施形態では、図９に示すように、横孔ａにスプリングフック、リングキャッチ等の係止金具２２を取り付け、当該係止金具２２にワイヤー２０の端末ループやワイヤー２０に対して位置調節可能な状態に装着したクランプ金物２３を係止させて張り渡し、ワイ
ヤー２０の張り渡し及び回収を容易に行えるようにしている。
【００３１】
前記クライミングガイドＣは、図１０〜図１２に示すように、ガイドレールＤに対して上下方向摺動自在に嵌合し且つガイドレールＤの外径よりも狭い開口ｂを有するガイド溝ｃが形成された本体２４と、本体２４におけるガイド溝ｃの開口一側縁部に枢着され、ガイド溝ｃの開口ｂを開閉することが可能な蓋体２５と、本体２４のガイド溝ｃとは反対側の面に固着された単管クランプ２６とから構成されており、単管クランプ２６で外部養生ユニットＡの横地単管１ｂを緊結することによって外部養生ユニットＡに装着されるようになっている。
【００３２】
前記ガイド溝ｃは、本体２４に固着された互いに平行な４本の縦軸２７ａ，２７ｂ，２７ｃ，２７ｄの内側に形成され、単管クランプ２６から遠い側に位置する２本の縦軸２７ｃ，２７ｄ間がガイド溝ｃの開口ｂに形成されている。蓋体２５の内側面中央部には、ガイドレールＤの側面と当接してガイドレールＤに対するガタツキを抑制する突起体２５ａが設けられている。２８は蓋体２５の枢支軸、２９は蓋体２５の揺動先端部を貫通する固定用の頭付きボルトであり、本体２４に設けたねじ孔３０にねじ込むことによって、蓋体２５を開口ｂが閉塞された状態に固定するように構成されている。３１は頭付きボルト２９に螺着したロックナットである。
【００３３】
図１３〜図１５に示すＧは、建築中の建物の外壁面（例えば、片持ちスラブの鼻先部の先端面）に取り付けられるガイドレール取付け金物である。このガイドレール取付け金物Ｇは、角筒状部材３２と、角筒状部材３２の前板部３２ａに突設したアーム３３と、アーム３３の先端に固着された縦軸３４とから構成されている。角筒状部材３２の後面板部３２ｂには横長の長孔ｄが形成され、アーム３３の中間部には横孔ｅが形成されている。縦軸３４は、ガイドレールＤに嵌入する外径の小径軸部３４ａとその中間部に形成された大径軸部３４ｂとから構成され、小径軸部３４ａの上端にはピン落とし込み用の切欠き３５が形成されている。
【００３４】
このガイドレール取付け金物Ｇによれば、図１５に示すように、ガイドレール取付け金物Ｇの角筒状部材３２を外壁面に、当該外壁面に埋設されたインサート金物（図示せず）と螺合するボルト３６で取り付け、図１５、図１６に示すように、角筒状部材３２に突設されたアーム３３先端の縦軸３４の小径軸部３４ａに上下のガイドレールＤ，Ｄを嵌合することによって、ガイドレールＤを上下に継足し連結することができる。
【００３５】
この場合、角筒状部材３２の後面板部３２ｂに横長の長孔ｄを形成してあるので、インサート金物の横方向における埋設位置に多少の誤差があっても、長孔ｄの範囲内でガイドレール取付け金物Ｇの取付け位置を修正することができる。また、アーム３３の中間部に横孔ｅを形成してあるので、後述するガイドレール連結部の抜け止め金物Ｈをアーム３３の中間部にボルト・ナット３７で取り付けることができ、上下に継足し連結されたガイドレールＤ，Ｄの抜け止めを行うことができる。
【００３６】
前記抜け止め金物Ｈは、図１７に示すように、レール吊り金具３８とレール上がり止め金具３９とで構成されている。レール吊り金具３８は、外面に横孔ｆ付きの連結用板部４０が固着されたスリーブ４１と、スリーブ４１に挿通されたねじ軸４２と、スリーブ４１の上下においてねじ軸４２と螺合する上下一対のナット４３ａ，４３ｂと、ねじ軸４２の下端にねじ軸４２と平行に支持された上向きのピン４４とから構成されている。レール上がり止め金具３９は、上端に下向きのフック４５が連設された垂直板部４６とその下端から直角に折曲連設された縦孔ｇ付きの水平板部４７とから成り、水平板部４７の縦孔ｇに前記ねじ軸４２を挿通して、前記スリーブ４１と上方のナット４３ａとで水平板部４７を締付け固定することによって、レール吊り金具３８と連結するように構成されている。
【００３７】
上記の構成によれば、図１６に示すように、連結用板部４０をガイドレール取付け金物Ｇのアーム３３に押し当て、連結用板部４０の横孔ｆとアーム３３中間部の横孔ｅとにわたって挿通した頭付きのボルトとそれに螺合するナットとによって、抜け止め金物Ｈをガイドレール取付け金物Ｇのアーム３３の中間部に取り付けることができる。
【００３８】
そして、図１５、図１６に示すように、レール吊り金具３８のスリーブ４１に挿通支持されたねじ軸４２の下端に設けられた上向きのピン４４を、下階側ガイドレールＤの上端側面に固着された筒体１８に挿入係止させることによって、下階側ガイドレールＤの下方への抜け出しを防止することができる。即ち、ガイドレールＤを上方へ転用するに当たって、当該ガイドレールＤの下端側を支持していたガイドレール取付け金物Ｇを外壁面から取り外した際、当該ガイドレールＤの上端側が筒体１８を介してレール吊り金具３８で吊下げ支持され、ガイドレールＤの落下が防止されることになる。
【００３９】
また、レール吊り金具３８に連結されたレール上がり止め金具３９の下向きのフック４５を上階側ガイドレールＤのワイヤー取付け部１７の横孔ａに挿入係止させることによって、上階側ガイドレールＤの上方への抜け出しを防止することができる。即ち、外部養生ユニットＡをクライミングさせる際、外部養生ユニットＡに固定されたクライミングガイドＣとガイドレールＤとの間での拗れや摩擦力によって、ガイドレールＤが外部養生ユニットＡと一緒に上がってしまうことを防止できる。
【００４０】
図１８は、外部養生ユニットＡをガイドレールＤに沿って順次上階へとせり上げるための揚重機器の一例である電動チェーンブロック５０と、それを吊下げ支持する支持枠５１を示す。支持枠５１は、上端に水平アーム５２が突設された垂直支柱５３と、その上端にクランプ金物５４を介して横軸５５周りに揺動自在に枢着された傾斜支柱５６と、両支柱５３，５６間に横軸５７とクランプ金物５８とを介して架設された連結杆５９とを備えている。そして、電動チェーンブロック５０を上階へと盛り替える際には、水平アーム５２から電動チェーンブロック５０を外し、クランプ金物５８のボルトを緩めて、当該クランプ金物５８を連結杆５９に沿って上方へスライドさせ、連結杆５９を横軸５７周りに揺動させ、傾斜支柱５６を横軸５５周りに揺動させることによって、垂直支柱５３と傾斜支柱５６と連結杆５９を直線状に折り畳むように構成されている。６０は電動チェーンブロック５０のチェーンに連結された吊り金具であり、外部養生ユニットＡの横地単管１ｂをクランプするように構成されている。
【００４１】
次に、本発明に係る外部養生ユニットのクライミング工法について説明する。このクライミング工法は、外部養生ユニットＡを略２階層分（２階層分＋手摺分）の高さに抑えることによって、外部養生ユニットＡ自体の重量は勿論、外部養生ユニットＡの揚重機器（電動チェーンブロック５０）、ガイドレールＤ、ガイドレールＤを建物に固定する金物等々の軽量化と、それによる設置、転用の施工性の向上、低コスト化を可能にすると同時に、外部養生ユニットＡの上下寸法を短くしたことによる安全上の問題を、外部養生ユニットＡのクライミングによって当該外部養生ユニットＡの下階に残置されたガイドレールＤのワイヤー取付け部１７間にワイヤー２０を横方向に張り渡して仮設手摺Ｆとすることによって解決した点に特徴がある。
【００４２】
上記のクライミング工法を図面に基づいて説明する。先ず、図１９の（Ａ）に示すように、１階１Ｆの片持ちスラブの鼻先部の先端面にガイドレール取付け金物Ｇを取り付け、クレーン等の揚重機（図示せず）を使用して、１階層分のガイドレールＤと前記外部養生ユニットＡにおける下ユニットＡ１とを吊り込む。ガイドレールＤは予め下ユニットＡ１に前記クライミングガイドＣを介して装着した状態で吊り込まれるが、ガイドレールＤを所定位置に立設した後、下ユニットＡ１を吊り込んで、ガイドレールＤにセットするよう
にしてもよい。６１は控え単管であり、外部養生ユニットＡ１台あたり２本使用される。控え単管６１の上端部は単管クランプ（図示せず）によって外部養生ユニットＡ又はガイドレールＤに連結され、控え単管６１の下端部に連設した水平杆（図示せず）は床面に後打ちアンカーによって固定される。
【００４３】
この状態で、図１９の（Ｂ）に示すように、２階２Ｆの床型枠６２の組立、配筋、コンクリート打設を行い、適当な時点で、ガイドレール取付け金物Ｇを２階２Ｆの片持ちスラブの鼻先部の先端面に取り付け、ガイドレールＤの上端側を支持させる。６３は床型枠６２を支保するパイプサポートである。
【００４４】
しかる後、図１９の（Ｃ）に示すように、クレーン等の揚重機（図示せず）を使用して、上ユニットＡ２を吊り込み、前記連結金具Ｂにより下ユニットＡ１と連結して、略２階層分（２階層分＋手摺分）の高さを有する外部養生ユニットＡを組み立てる。
【００４５】
この状態で、図１９の（Ｄ）に示すように、３階３Ｆの床型枠６２の組立、配筋、コンクリート打設を行い、適当な時点で、ガイドレール取付け金物Ｇを３階３Ｆの片持ちスラブの鼻先部の先端面に取り付け、ガイドレールＤの上端側を支持させる。
【００４６】
そして、図２０の（Ａ）に示すように、電動チェーンブロック５０を２階に設置して、外部養生ユニットＡに連結し、当該電動チェーンブロック５０によって、図２０の（Ｂ）に示すように、外部養生ユニットＡを３階３Ｆにクライミングする。このクライミングによって１階には外部養生ユニットＡが無くなるが、当該外部養生ユニットＡの下階（１階１Ｆ）に残置されたガイドレールＤのワイヤー取付け部１７間に前記ワイヤー２０を横方向に張り渡して仮設手摺Ｆとすることによって安全を確保する。
【００４７】
尚、外部養生ユニットＡの下端にはワイヤー６４（図２４参照）を垂下させ、これらのワイヤー６４を縦地にして防塵シート（例えば、目の細かいネット等によって構成される）６５を張り渡しておく。
【００４８】
次に、図２１の（Ａ）に示すように、４階４Ｆの床型枠６２の組立、配筋、コンクリート打設を行い、適当な時点で、２階の床型枠を解体撤去すると共に、３階のガイドレールＤを２階のガイドレールＤに継ぎ足し、ガイドレール取付け金物Ｇを４階４Ｆの片持ちスラブの鼻先部の先端面に取り付けて、３階のガイドレールＤの上端側を支持させる。
【００４９】
しかる後、図２１の（Ｂ）に示すように、前記電動チェーンブロック５０を３階に移設し、当該電動チェーンブロック５０によって外部養生ユニットＡを４階４Ｆにクライミングさせる。このクライミングによって２階には外部養生ユニットＡが無くなるが、当該外部養生ユニットＡの下階（２階２Ｆ）に残置されたガイドレールＤのワイヤー取付け部１７間にもワイヤー２０を横方向に張り渡し、仮設手摺Ｆとすることによって安全を確保する。
【００５０】
そして、図２２の（Ａ）に示すように、５階５Ｆの床型枠６２の組立、配筋、コンクリート打設を行い、適当な時点で、３階の床型枠を解体撤去すると共に、４階のガイドレールＤを３階のガイドレールＤに継ぎ足し、ガイドレール取付け金物Ｇを５階５Ｆの片持ちスラブの鼻先部の先端面に取り付けて、４階のガイドレールＤの上端側を支持させ、１階１Ｆの片持ちスラブの鼻先部には本設手摺Ｉを設置する。図２４は、図２２の（Ａ）に示した工程における要部の正面図である。
【００５１】
尚、本設手摺Ｉを設置した階のワイヤー２０は抜き取ってもよく、ガイドレールＤの盛替え時まで残置させてもよい（以下の工程においても同様である）。
【００５２】
しかる後、図２２の（Ｂ）に示すように、前記電動チェーンブロック５０を４階に移設し、当該電動チェーンブロック５０によって外部養生ユニットＡを５階５Ｆにクライミングさせる。このクライミングによって３階には外部養生ユニットＡが無くなるが、当該外部養生ユニットＡの下階（３階３Ｆ）に残置されたガイドレールＤのワイヤー取付け部１７間にもワイヤー２０を横方向に張り渡し、仮設手摺Ｆとすることによって安全を確保する。
【００５３】
そして、図２３の（Ａ）に示すように、１階のガイドレールＤを取り外して５階へと盛り替え、４階のガイドレールＤに継ぎ足し、ガイドレール取付け金物Ｇを６階６Ｆの片持ちスラブの鼻先部の先端面に取り付けて、５階のガイドレールＤの上端側を支持させ、２階２Ｆの片持ちスラブの鼻先部には本設手摺Ｉを設置する。
【００５４】
以下、同様の工程を繰り返し、図２３の（Ｂ）に示すように、前記電動チェーンブロック５０を５階に移設し、当該電動チェーンブロック５０によって外部養生ユニットＡを６階６Ｆにクライミングさせ、当該外部養生ユニットＡの下階（４階４Ｆ）に残置されたガイドレールＤのワイヤー取付け部１７間にもワイヤー２０を横方向に張り渡し、仮設手摺Ｆとすることによって安全を確保することになる。
【００５５】
このように、この実施形態では、略２階層分（２階層分＋手摺分）の高さに抑えた外部養生ユニットＡと、４階層分のガイドレールＤとを用いて、外部養生ユニットＡをガイドレールＤに沿って上階へ１層分ずつクライミングさせる一方、外部養生ユニットＡのクライミングによって当該外部養生ユニットＡの下階に残置されたガイドレールＤのワイヤー取付け部１７間にワイヤー２０を横方向に張り渡して仮設手摺Ｆとし、この階の本設手摺Ｉを構築した後、前記ワイヤー２０を撤去して前記ガイドレールＤを最上層へと盛り替えて行くことで、安全確保とコストの削減を可能にしたのである。
【００５６】
尚、以上の説明は、７日サイクルで１層分の型枠の組立、配筋、コンクリート打設を行う場合、４層目のコンクリート打設が終った時点で１層目は打設コンクリートが材令２８日を迎えるという計算に基づくものである。従って、打設コンクリートの必要強度発現材令を３０日とした場合は、７日サイクルの場合、５層目を施工する段階で、１層目の型枠解体が可能になるので、本発明の外部養生ユニットＡは３階分必要になる。また、６日サイクルで、型枠の組立、配筋、コンクリート打設を行い、コンクリートの必要強度発現材令を３０日とする場合は、５層目の施工が完了し、６層目の施工着手段階で１層目の型枠解体が可能になるので、本発明の外部養生ユニットＡは４階分を必要とする。但し、いずれにしても、仮設手摺Ｆを設けることで、従来よりも、外部養生ユニットＡを１階分だけ少なく作製すれば良い。
【図面の簡単な説明】
【００５７】
【図１】外部養生ユニットの正面図である。
【図２】連結金具の側面図である。
【図３】連結金具の構成説明図である。
【図４】一部を拡大して示すガイドレールの側面図である。
【図５】一定長さの水平つなぎ材の一部切欠き正面図である。
【図６】一定長さの水平つなぎ材の側面図である。
【図７】伸縮式の水平つなぎ材の一部切欠き正面図である。
【図８】伸縮式の水平つなぎ材の側面図である。
【図９】仮設手摺の正面図である。
【図１０】クライミンガイドの斜視図である。
【図１１】クライミンガイドの平面図である。
【図１２】クライミンガイドの側面図である。
【図１３】ガイドレール取付け金物の斜視図である。
【図１４】ガイドレール取付け金物の縦断側面図である
【図１５】抜け止め金物を取り付けたガイドレール連結部の斜視図である。
【図１６】抜け止め金物を取り付けたガイドレール連結部の縦断正面図である。
【図１７】抜け止め金物の分解斜視図である
【図１８】揚重機器の側面図である。
【図１９】外部養生ユニットのクライミング工法の工程を説明する概略側面図である。
【図２０】図１９に続く工程を説明する概略側面図である。
【図２１】図２０に続く工程を説明する概略側面図である。
【図２２】図２１に続く工程を説明する概略側面図である。
【図２３】図２２に続く工程を説明する概略側面図である。
【図２４】図２２の（Ａ）の工程における要部の正面図である。
【符号の説明】
【００５８】
Ａ  外部養生ユニット
Ａ１  下ユニット
Ａ２  上ユニット
Ｂ  連結金具
Ｃ  クライミングガイド
Ｄ  ガイドレール
Ｅ  水平つなぎ材
Ｆ  仮設手摺
Ｇ  ガイドレール取付け金物
Ｈ  抜け止め金物
Ｉ  本設手摺
１６  単管
１７  ワイヤー取付け部
１８  筒体
１９  ピン
２０  ワイヤー
２４  本体
２５  蓋体
２６  単管クランプ
３２  角筒状部材
３２ａ  前板部
３２ｂ  後板部
３３  アーム
３４  縦軸
３４ａ  小径軸部
３４ｂ  大径軸部
３５  切欠き
３８  レール吊り金具
３９  レール上がり止め金具
４０  連結用板部
４１  スリーブ
４２  ねじ軸
４３ａ，４３ｂ  ナット
４４  上向きのピン
４５  下向きのフック
４６  垂直板部
４７  水平板部
【図１】
0004814620.tif 000002
【図２】
0004814620.tif 000003
【図３】
0004814620.tif 000004
【図４】
0004814620.tif 000005
【図５】
0004814620.tif 000006
【図６】
0004814620.tif 000007
【図７】
0004814620.tif 000008
【図８】
0004814620.tif 000009
【図９】
0004814620.tif 000010
【図１０】
0004814620.tif 000011
【図１１】
0004814620.tif 000012
【図１２】
0004814620.tif 000013
【図１３】
0004814620.tif 000014
【図１４】
0004814620.tif 000015
【図１５】
0004814620.tif 000016
【図１６】
0004814620.tif 000017
【図１７】
0004814620.tif 000018
【図１８】
0004814620.tif 000019
【図１９】
0004814620.tif 000020
【図２０】
0004814620.tif 000021
【図２１】
0004814620.tif 000022
【図２２】
0004814620.tif 000023
【図２３】
0004814620.tif 000024
【図２４】
0004814620.tif 000025